(57)【要約】  本発明は手首に着用可能な手首血圧計を開示する。本発明に係る手首血圧計は：手首着用のための手首ストラップを有する手首カフ；前記手首カフに備えられる血圧測定用センサー；そして、前記手首カフが前記手首を圧迫するように、前記手首カフに備えられて前記手首カフを選択的に引き締める引き締め装置を含んで構成される。本発明によれば、ユーザが血圧測定が必要となる度に、便利に血圧を測定することができ、手首密着性が優れるので、血圧測定の正確度が高まることができる。
2018536448.tif 000002
【特許請求の範囲】
【請求項１】
手首に着用可能な手首血圧計であって、
手首着用のための手首ストラップを有する手首カフと、
前記手首カフに備えられる血圧測定用センサーと、
前記手首カフが前記手首を圧迫するように、前記手首カフに備えられて前記手首カフを選択的に引き締める引き締め装置と、を含んで構成される、手首血圧計。
【請求項２】
前記手首カフは、前記手首を圧迫するように前記手首ストラップに備えられるエアーバックをさらに含んで構成されることを特徴とする、請求項１に記載の手首血圧計。
【請求項３】
前記エアーバックには空気注入可能にバルブが連結されたことを特徴とする、請求項２に記載の手首血圧計。
【請求項４】
前記バルブは、前記エアーバックに備えられることを特徴とする、請求項３に記載の手首血圧計。
【請求項５】
前記センサーは、前記エアーバックに備えられることを特徴とする、請求項２に記載の手首血圧計。
【請求項６】
前記手首ストラップは、
前記手首の既設定された部位に取り付けられて前記手首の一部を巻くように、所定形状に撓んだ硬質のストラップフレームと、
前記ストラップフレームに固定されて、前記ストラップフレームにより支持される可撓性の連結ストラップと、を含んで構成されることを特徴とする、請求項１に記載の手首血圧計。
【請求項７】
前記連結ストラップは、前記ストラップフレームの一端から延びて前記ストラップフレームの他端に連結されることを特徴とする、請求項６に記載の手首血圧計。
【請求項８】
前記連結ストラップの一端は前記ストラップフレームに固定され、前記連結ストラップの他端は前記ストラップフレームの他端に着脱可能に連結されることを特徴とする、請求項７に記載の手首血圧計。
【請求項９】
前記連結ストラップの他端と前記ストラップフレームの他端は、前記引き締め装置により連結されることを特徴とする、請求項８に記載の手首血圧計。
【請求項１０】
前記ストラップフレームは、
前記連結ストラップを支持するベースフレームと、
手首厚さに対応して前記手首カフの高さが調節できるように、前記ベースフレームに移動可能に備えられる高さ調節用補助フレームを含んで構成されることを特徴とする、請求項６に記載の手首血圧計。
【請求項１１】
前記ストラップフレームは、尺骨動脈が通る部位を覆うように曲率を有する形状であることを特徴とする、請求項６に記載の手首血圧計。
【請求項１２】
前記エアーバックは、前記連結ストラップに備えられることを特徴とする、請求項６に記載の手首血圧計。
【請求項１３】
前記引き締め装置は、
前記手首カフの一側部を前記手首カフの他側部に連結するカフコネクタと、
前記カフコネクタに連結され、前記カフコネクタを通じて前記手首カフの他側部に牽引力を加える駆動ユニットと、を含んで構成されることを特徴とする、請求項１から１２のうち、いずれか一項に記載の手首血圧計。
【請求項１４】
前記駆動ユニットは、
前記手首カフに備えられるモータと、
前記カフコネクタを巻くように、前記手首カフに回転可能に備えられるロールと、
前記モータの回転力を前記ロールに伝達するギア伝動機とを含んで構成されることを特徴とする、請求項１３に記載の手首血圧計。
【請求項１５】
前記カフコネクタは、前記手首カフの他側部に着脱可能に連結されることを特徴とする、請求項１３に記載の手首血圧計。
【請求項１６】
前記エアーバックは空気の注入が防止される構造であって、空気が封入された密閉型であることを特徴とする、請求項２に記載の手首血圧計。
【請求項１７】
前記引き締め装置は、
前記手首カフが閉環をなすように、前記手首カフの一側部に移動可能に備えられて、前記手首カフの一側部を前記手首カフの他側部に結合させるカフコネクタと、
前記手首カフが引き締まるように、前記手首カフに備えられて前記カフコネクタを選択的に引く牽引器を含んで構成されることを特徴とする、請求項１に記載の手首血圧計。
【請求項１８】
前記カフコネクタと前記牽引器は断続可能であることを特徴とする、請求項１７に記載の手首血圧計。
【請求項１９】
前記牽引器は、
前記カフコネクタに連結される牽引ロッドと、
前記牽引ロッドを作動させて前記手首カフに沿って前記カフコネクタを移動させるアクチュエータを含んで構成されることを特徴とする、請求項１７または１８に記載の手首血圧計。
【請求項２０】
前記牽引ロッドは、前記アクチュエータにより回転し、外周面に形成されたねじ山を有し、前記カフコネクタに回転可能に挿入されるスクリューバーを有し、前記カフコネクタは、前記牽引ロッドに沿って動くことを特徴とする、請求項１９に記載の手首血圧計。
【請求項２１】
前記カフコネクタは、前記牽引器により牽引されるように前記牽引ロッドに選択的に噛合されることを特徴とする、請求項２０に記載の手首血圧計。
【請求項２２】
前記カフコネクタは、
前記手首カフの一側部に備えられて前記手首カフの一側部と前記手首カフの他側部を連結し、前記牽引ロッドが挿入されるロッドホールが貫通形成され、前記牽引ロッドに沿って移動可能なコネクタ胴体と、
前記カフコネクタと前記牽引ロッドの断続のために、前記コネクタ胴体に移動可能に備えられ、前記牽引ロッドのねじ山に選択的に噛み合うロッド断続部材を含んで構成されることを特徴とする、請求項２１に記載の手首血圧計。
【請求項２３】
前記コネクタ胴体は、前記牽引ロッドのねじ山に前記ロッド断続部材が噛み合うように、前記ロッド断続部材を移動させる電磁石を含んで構成されることを特徴とする、請求項２２に記載の手首血圧計。
【請求項２４】
前記ロッド断続部材は、前記電磁石に対する電源供給が解除されれば前記牽引ロッドから分離されることを特徴とする、請求項２３に記載の手首血圧計。
【請求項２５】
前記ロッド断続部材は、スプリングの復原力により前記牽引ロッドから分離されることを特徴とする、請求項２４に記載の手首血圧計。
【発明の詳細な説明】
【技術分野】
【０００１】
本発明は手首に着用して血圧を測定する手首血圧計に関し、より詳しくは、手首の圧迫のために手首カフの自動引き締めが可能な手首血圧計に関する。
【背景技術】
【０００２】
一般に、血液が血管の壁に及ぼす圧力を測ったことを血圧といい、心臓は１分に約６０〜８０回収縮と弛緩を反復する。心臓が収縮して血を押し出す時、血管に及ぼす圧力を「収縮血圧」といい、最も高いので「最高血圧」という。また、心臓が弛緩しながら血液を受け入れる時の血管圧力を「弛緩血圧」といい、最も低いので「最低血圧」という。
【０００３】
通常、健常な人の血圧は収縮血圧が１２０ｍｍＨｇであり、弛緩血圧は８０ｍｍＨｇを示す。我が国の成人の４人のうちの１人以上が高血圧に該当し、４０歳以後からはこの比率が急激に増加する趨勢を示しており、低血圧に分類された患者もある。
【０００４】
前記高血圧が問題となることは、高血圧を適切に管理せず、放置する場合、眼疾患、腎臓疾患、動脈疾患、脳疾患、心臓疾患などの生命に威嚇を加えることがある他の合併症の原因になることがあるためである。したがって、前記合併症の危険があるか、または合併症を有する患者の場合、持続的な血圧の測定と管理がなされなければならない。
【０００５】
前述した高血圧などの成人病関連疾患と健康に対する関心が増加するにつれて、多様な種類の血圧測定装置が開発されている。
【０００６】
血圧測定方式には、聴診（Korotkoff sounds）方式、オシロメトリック（oscillometric）方式、及びトノメトリック（tonometric）方式などがある。
【０００７】
前記聴診方式は典型的な圧力測定方式であって、動脈血が通る身体部位に充分の圧力を加えて血液の流れを遮断した後、減圧する過程で、初めて脈拍の音が聞こえる瞬間の圧力を収縮期血圧（systolic pressure）として測定し、脈拍の音が消える瞬間の圧力を弛緩期血圧（diastolic pressure）として測定する方法である。
【０００８】
前記オシロメトリック方式とトノメトリック方式は、デジタル化した血圧測定装置に適用される方式である。
【０００９】
前記オシロメトリック方式は、聴診方式と同様に動脈の血流が遮断されるように動脈血が通る身体部位を十分に加圧した後、一定速度に減圧する過程、または前記身体部位を一定速度に増圧されるように加圧する過程で発生する脈波を感知して収縮期血圧と弛緩期血圧を測定する。
【００１０】
ここで、脈波の振幅が最大である瞬間と比較して一定水準である時の圧力を収縮期血圧または弛緩期血圧として測定することもでき、前記脈波振幅の変化率が急激に変化する時の圧力を収縮期血圧または弛緩期血圧として測定することもできる。
【００１１】
そして、加圧後、一定速度に減圧する過程では前記脈波の振幅が最大である瞬間より先に収縮期血圧が測定され、前記脈波の振幅が最大である瞬間より後ほど弛緩期血圧が測定される。これとは逆に、一定速度に増圧する過程では、前記脈波の振幅が最大である瞬間より後ほど収縮期血圧が測定され、前記脈波の振幅が最大である瞬間より先に弛緩期血圧が測定される。
【００１２】
次に、前記トノメトリック方式は動脈の血流を完全に遮断しない大きさの一定圧力を身体部位に加え、この時に発生する脈波の大きさ及び形態を用いて連続して血圧を測定することができる方式である。
【００１３】
上記のように血圧を測定する血圧計は健康指数の基本となる血圧を測定するための最も基本的な医療装備であって、一般病院・医院にはほとんど必須的に備えられているだけでなく、家庭やスポーツセンターなどでも個人の血圧測定のためにたくさん使用している実状である。
【００１４】
しかしながら、既存の血圧計の場合、多くは血圧測定が必要となる度に、上膊（高腕または上腕、肩から肘までの部分）に血圧計を巻いて血圧を測定する腕型に製品が市場に発表されているので、携帯が不便で、使用においても所望の時に容易に血圧を測定することが容易でない実状である。
【００１５】
例えば、既存のオシロメトリックス方式の血圧計の場合、手首や腕に巻いて圧力するための血圧計の本体と、圧迫カフ、チューブプラグ、エアーホースなどが必要であるので、構成が複雑で、体積が大きく、使用時に正しい測定のためにはエアーホースが下に向かうように挟まなければならないとか、腕の場合、カフを肘１〜２ｃｍの上に着用しなければならないなど、測定準備過程に準備事項も多くて使用上煩わしいという短所がある。
【００１６】
特に、血圧は被検者の身体特性によって変化程度が相異するので、体内に合併症がある患者は周期的に、及び／又は身体に異常を感じる度に直ちに血圧を測定する必要性があるが、水銀血圧計と電子血圧計は後述する問題点によって前記患者に不便さを提供する。
【００１７】
まず、前記水銀血圧計と電子血圧計は空気注入を必要とするカフを使用するようになるが、前記カフは体積が大きくてユーザがリアルタイムに着用し難いという問題点がある。
【００１８】
また、よく血圧を測定しなければならない患者に前記空圧式カフを用いた水銀血圧計は体積及び重さが過度で、被検者（患者）が携帯して通うことに不都合さと無理さがあり、血圧を測定する度に毎度前記血圧計を脱付着しなければならないという面倒さがある。
【００１９】
そして、前述した従来の血圧計と同一な精密度を有する空圧式電子血圧計があるが、患者が続けて携帯しながら周期的に血圧を測定しなければならない場合に適用される場合、転機式ポンプと空気注入式カフを使用するため、重さが重くて体積が大きくて患者の挙動が不便になる問題点がある。
【００２０】
その他に、手首や指先の脈拍と多様なパラメータに基づいて血圧を測定する非加圧式電子血圧計も存在しているが、前記パラメータを正確に特定して汎用的に提供し難いので、精密度が低くて正確な血圧を周期的に測定しなければならない患者への適用が困難である。
【００２１】
一方、最近には腕時計のように手首に着用して血圧を測定できる血圧計が手首血圧計、手首着用血圧計、または腕時計型血圧計などの名称として開発されている。
【００２２】
しかしながら、既存の手首血圧計は単純に手首に着用して血圧を測定するので、腕時計型と呼ばれるが、手首の加圧のために機械式／電子式ポンピング装置、即ちエアーポンプが備えられて構造的に複雑で、操作及び作動が難しく、故障がよく発生し、製造費用が増加するなどの問題がある。また、既存の手首血圧計は、手首の腰骨動脈が通る部位が十分に圧迫できるように、血圧測定時毎に手首圧迫用空気ポケット、即ちエアーバックに空気を注入しなければならず、前記エアーバックが手首の表面に十分密着できなくて血圧測定の正確度が低下し、排気バルブを適用して空気を徐々に排出しなければならないなど、作動の面と機構的な面で問題がある。
【発明の概要】
【発明が解決しようとする課題】
【００２３】
本発明は前述した問題点を解決するために提案されたものであって、手首の圧迫のために自動引き締めが可能であり、手首密着性が向上し、引き締め力の自動解除が可能な手首血圧計を提供することをその目的とする。
【００２４】
本発明の他の目的は、ユーザの手首厚さに対応して手首カフの大きさ（高さ）を調節することができる手首血圧計を提供するためのものである。
【課題を解決するための手段】
【００２５】
本発明は手首に着用可能な手首血圧計であって、本発明の一形態は：手首着用のための手首ストラップ（Wrist Strap）を有する手首カフ（Wrist Cuff）；前記手首カフに備えられる血圧測定用センサー（Sensor）；そして前記手首カフが前記手首を圧迫するように、前記手首カフに備えられて前記手首カフを選択的に引き締める引き締め装置（Tightener）を含んで構成される手首血圧計を提供する。
【００２６】
前記手首カフは、前記手首を局部的に圧迫するように前記手首ストラップに備えられるエアーバック（Air Bag）をさらに含んで構成される。そして、前記エアーバックには空気注入可能にバルブ（Valve）が連結できる。
【００２７】
前記センサーとバルブのうちの少なくとも１つは、前記エアーバックに備えられることができる。
【００２８】
そして、前記手首ストラップは；前記手首の一部を巻くように、一定の形状に撓んだ硬質のストラップフレームと、前記ストラップフレームに固定されて、前記ストラップフレームにより支持される可撓性の連結ストラップを含んで構成できる。前記ストラップフレームは前記手首カフの骨格をなす。
【００２９】
前記連結ストラップは、前記ストラップフレームの一端から延びて前記ストラップフレームの他端に連結される。より具体的に、前記連結ストラップの一端は前記ストラップフレームに固定され、前記連結ストラップの他端は前記ストラップフレームの他端に着脱可能に連結できる。
【００３０】
前記連結ストラップの他端と前記ストラップフレームの他端は、前記引き締め装置により連結されることもできる。
【００３１】
前記ストラップフレームは；前記連結ストラップを支持するベースフレームと、手首厚さに対応して前記手首カフの高さを調節できるように、前記ベースフレームに移動可能に備えられる高さ調節用補助フレームを含んで構成できる。
【００３２】
前記ストラップフレームは、尺骨動脈が通る部位を覆うように曲率を有する形状に形成される。そして、前記エアーバックは、前記連結ストラップに備えられる。
【００３３】
前記引き締め装置は；前記手首カフの一側部を前記手首カフの他側部に連結するカフコネクタ（Cuff Connector）、そして前記カフコネクタに連結され、前記カフコネクタを通じて前記手首カフの他側部に牽引力を加える駆動ユニットを含んで構成できる。
【００３４】
前記駆動ユニットは；前記手首カフに備えられるモータと、前記カフコネクタを巻くように、前記手首カフに回転可能に備えられるロール（Roll）と、前記モータの回転力を前記ロールに伝達するギア伝動機を含んで構成できる。
【００３５】
前記カフコネクタは、前記手首カフの他側部に着脱可能に連結できる。前記エアーバックは、空気の注入が防止される構造であって、空気が封入された密閉型でありうる。
【００３６】
そして、前記引き締め装置は；前記手首カフが閉環をなすように、前記手首カフの一側部に移動可能に備えられて前記手首カフの一側部を前記手首カフの他側部に結合させるカフコネクタ（Cuff Connector）、及び前記手首カフが引き締まるように、前記手首カフに備えられて前記カフコネクタを選択的に引く牽引器を含んで構成されることもできる。前記カフコネクタと前記牽引器は断続可能でありうる。
【００３７】
前記牽引器は；前記カフコネクタに連結される牽引ロッド、そして前記牽引ロッドを作動させて前記手首カフに沿って前記カフコネクタを移動させるアクチュエータ（Actuator）を含んで構成できる。
【００３８】
前記牽引ロッドは、前記アクチュエータニより回転し、外周面に形成されたねじ山を有し、前記カフコネクタに回転可能に挿入されるスクリューバー（Screw Bar）を有し；前記カフコネクタは、前記牽引ロッドに沿って動くこともできる。
【００３９】
前記カフコネクタは、前記牽引器により牽引されるように前記牽引ロッドに選択的に噛合できる。
【００４０】
前記カフコネクタは；前記手首カフの一側部に備えられて前記手首カフの一側部と前記手首カフの他側部とを連結し、前記牽引ロッドが挿入されるロッドホールが貫通形成され、前記牽引ロッドに沿って移動可能なコネクタ胴体と、前記カフコネクタと前記牽引ロッドの断続のために、前記コネクタ胴体に移動可能に備えられ、前記牽引ロッドのねじ山に選択的に噛み合うロッド断続部材を含んで構成できる。
【００４１】
前記コネクタ胴体は；前記牽引ロッドのねじ山に前記ロッド断続部材が噛み合うように、前記ロッド断続部材を移動させる電磁石を含んで構成できる。
【００４２】
前記ロッド断続部材は、前記電磁石に対する電源供給が解除されれば、前記牽引ロッドから分離できる。前記ロッド断続部材は、スプリングの復原力により前記牽引ロッドから分離されることもできる。
【００４３】
本発明の他の一形態は：手首着用のための手首ストラップ（Wrist Strap）を有する手首カフ（Wrist Cuff）；前記手首カフに備えられる血圧測定用センサー（Sensor）；そして前記手首カフが前記手首を圧迫するように、前記手首カフに備えられて前記手首カフを選択的に引き締める引き締め装置（Tightener）を含んで構成され：前記引き締め装置は；前記手首カフに備えられ、前記手首カフの一側部を前記手首カフの他側部に連結するカフコネクタ（Cuff Connector）、そして前記カフコネクタに連結され、前記カフコネクタを通じて前記手首カフの他側部に牽引力を加える駆動ユニットを含んで構成される手首血圧計を提供する。
【００４４】
前記カフコネクタは、前記手首カフの他側部に着脱可能に連結できる。そして、前記手首カフは、前記手首を局部的に圧迫するように前記手首ストラップに備えられるエアーバック（Air Bag）をさらに含んで構成されることができ、前記エアーバックには空気注入可能にバルブ（Valve）が連結できる。
【００４５】
本発明の更に他の一形態は：手首着用のための手首ストラップ（Wrist Strap）を有する手首カフ（Wrist Cuff）；前記手首カフに備えられる血圧測定用センサー（Sensor）；そして前記手首カフが前記手首を圧迫するように、前記手首カフに備えられて前記手首カフを選択的に引き締める引き締め装置（Tightener）を含んで構成され：前記手首ストラップは；前記手首の既設定された部位に取り付けられて前記手首の一部を巻くように、所定形状に撓んだ硬質のストラップフレームと、前記ストラップフレームに固定されて、前記ストラップフレームにより支持される可撓性の連結ストラップを含んで構成される手首血圧計を提供する。そして、前記手首カフは、前記手首を局部的に圧迫するように前記手首ストラップに備えられるエアーバック（Air Bag）をさらに含んで構成されることができ、前記エアーバックには空気注入可能にバルブ（Valve）が連結できる。
【発明の効果】
【００４６】
本発明の実施形態に係る手首血圧計は、次のような利点を有する。
【００４７】
まず、本発明の実施形態によれば、ユーザが血圧測定が必要となる度に、便利に血圧を測定することができ、手首密着性に優れるので、血圧測定の正確度が高まることができる。
【００４８】
そして、本発明の実施形態によれば、手首血圧計が基本骨格を維持しながらユーザの手首厚さに合せて大きさ（高さ）調節が可能であり、血圧測定が進行される間、尺骨動脈での血流が保証できる。
【００４９】
また、本発明の実施形態によれば、外部環境変化、例えば、温度変化に対応してエアーバックに空気補充が可能であるので、手首血圧計の性能低下が防止できる。
【００５０】
そして、常に変わる血圧の趨勢を知るためには、毎日、同じ時間に周期的に血圧を測定し、その数値を記録することが重要であるが、本発明は電子的自動制御により所定の時期毎に自動血圧測定が可能であり、アラームが備えられる場合、特に血圧測定時期を逃すことなく、規則的に血圧を測定することに非常に有利である。
【００５１】
また、本発明によれば、測定された血圧データを無線通信ユニットを通じて主治医あるいは専門医などに送って分析することに活用できるので、高血圧、糖尿病、肝臓障害、動脈硬化、血液循環の末梢神経障害などがある患者に当たって、特に効率良い血圧の管理がなされることができる。
【００５２】
そして、本発明の実施形態によれば、エアーバック充填のためのポンピング装置が必要なく、封入型エアーバックを有する手首血圧計で具現されることもできるので、空気の排出のための排気装置、例えば排気バルブも要求しない。
【００５３】
また、本発明の実施形態によれば、手首血圧計の引き締め解除が別途の動力を使用せず、自然的になされることができ、血圧測定過程でバッテリーの寿命が尽きた場合に、手首血圧計が自然的に緩くなりながら引き締めが緩和または解除されるので、使用上の安全性が優れて、手首血圧計による血流障害や事故が防止できる。
【００５４】
本発明の特徴及び長所は後述する本発明の実施形態に対する詳細な説明と共に、次に説明される図面を参考して、よりよく理解されることができる。
【図面の簡単な説明】
【００５５】
【図１】本発明に係る手首血圧計の一実施形態を概略的に示す側面図である。
【図２】図１に図示された手首血圧計の手首カフを示す断面図である。
【図３】図１に図示された手首血圧計が閉環を形成した状態を示す側面図である。
【図４】図１に図示された手首血圧計に適用可能な引き締め装置の一実施形態を概略的に示す図である。
【図５】本発明に係る手首血圧計の全体構成を例示したブロック図である。
【図６】本発明に係る手首血圧計の他の実施形態を概略的に示す断面図である。
【図７】図６に図示された手首血圧計の展開図である。
【図８】図６に図示された手首血圧計が手首に着用されて閉環を形成した状態を示す断面図である。
【図９】図６に図示された手首血圧計が手首圧迫のために引き締められた状態を示す断面図である。
【図１０】図９に図示された手首血圧計に適用される手首カフの一側部を示す斜視図である。
【図１１】本発明に係る手首カフの自動引き締めのための引き締め装置（カフタイトナー）の一実施形態を示す側面図である。
【図１２】本発明に係る手首血圧計のためのカフコネクタの一実施形態を示す断面図である。
【図１３】図１２に図示されたカフコネクタの斜視図である。
【図１４】図１１に図示されたカフコネクタと牽引ロッドの断続を説明するための斜視図である。
【図１５】図１２に図示されたカフコネクタの動作を示す断面図である。
【発明を実施するための形態】
【００５６】
以下、本発明の実施形態を添付図面を参照して詳細に説明する。本発明の実施形態を説明するに当たって、同一構成に対しては同一図面符号が使われる。
【００５７】
実施形態１．
本発明の実施のための形態、即ち実施形態は、手首カフの引き締めを通じて手首を圧迫して血圧を測定する装置、即ち手首カフが縮小されながら手首を圧迫する方式の携帯型血圧測定装置である。
【００５８】
まず、図１から図４を参照して本発明に係る手首血圧計の一実施形態を説明する。図１は本発明に係る手首血圧計の一実施形態を概略的に示す側面図であり、図２は図１に図示された手首血圧計の手首カフを示す断面図であり、図３は図１に図示された手首血圧計が閉環を形成した状態を示す側面図であり、図４は図１に図示された手首血圧計に適用可能な引き締め装置の一実施形態を概略的に示す図である。
【００５９】
図１から図４を参照すると、本実施形態（第１実施形態）に係る手首血圧計は手首に着用可能な血圧計であって、手首着用が可能な手首カフ（Wrist Cuff）１００と、前記手首カフ１００の引き締めのための引き締め装置（Cuff Tightener）２００を含んで構成される。
【００６０】
前記手首カフ１００は腕時計のように手首に着用可能な構成であって、手首着用のための手首ストラップ（Wrist Strap）１１０を有し、前記手首カフ１００には血圧測定用センサー（Sensor）１３０が備えられる。
【００６１】
そして、前記手首カフ１００は手首の所定部位、例えば腰骨動脈が通る部位を圧迫するためのエアーバック（Air Bag）１２０をさらに含むことができ、本実施形態で、前記エアーバック１２０は前記手首ストラップ１１０には備えられ、前記センサー１３０は前記エアーバック１２０に連結される。
【００６２】
言い換えると、本実施形態に係る手首血圧計は手首を囲んで血圧を測定する血圧測定カフであり、ユーザが活動中に腕時計のように携帯可能なタイプで提供されることもでき、挙動が不便な病床の患者の手首に着用されて既設定された時期、その他の状況で血圧を随時監視することができ、また有線または無線で他の機器、例えば、血圧管理モニターと連結されることもできる。
【００６３】
前記手首ストラップ１１０は手首を巻くバンド（Band）またはベルト（Belt）タイプの構成であり、前記エアーバック１２０は手首圧迫のために前記手首ストラップ１１０に備えられる空気ポケットであり、本実施形態で、前記センサー１３０は前記エアーバック１２０に備えられて前記エアーバック１２０の圧力変化を感知するが、これに限定されるものではない。
【００６４】
前記エアーバック１２０は手首で脈圧測定のために手首を圧迫する構成であって、空気の注入が防止される構造、即ち密閉型構造でありうるが、本実施形態では空気の注入が可能なタイプ、例えば、バルブ（Valve）１４０が連結されたエアーバック１２０で構成されることもできる。
【００６５】
前記バルブ１４０にはチェックバルブが適用されることができ、前記バルブ１４０はチューブなどの管路により前記エアーバック１２０に連結されることもできるが、本実施形態で、前記バルブ１４０は前記エアーバック１２０が備えられる。したがって、本実施形態で、前記センサー１３０とバルブ１４０は前記エアーバック１２０自体に設けられ、前記エアーバック１２０の内部圧が外部圧力、即ち大気圧より低い場合、前記バルブ１４０を通じて前記エアーバック１２０に空気が補充できる。
【００６６】
前記エアーバック１２０は手首の表面、例えば、橈骨動脈Ａが通る部位を圧迫し、本実施形態で、前記センサー１３０は前記エアーバック１２０の圧力を感知する装置であって、例えば、圧力センサーが適用できる。前記センサー１３０には空気圧測定が可能な各種のセンサーが適用されることができ、本実施形態で、前記センサー１３０は前記手首ストラップ１１０に設けられるケーブル（図示せず）を介して制御部、即ち血圧計算を遂行する回路基板１６０と連結される。
【００６７】
前記手首ストラップ１１０は革や布または合成樹脂材質など、可撓性の多様な材質で作られることができ、前記エアーバック１２０はシリコンやウレタン、あるいはゴムなどのように弾性を有する材質で作られることができる。
【００６８】
そして、本実施形態で、前記手首カフ１００は、前記手首カフ１００の一端部と他端部が着脱可能に連結されることによって閉環を形成し、前記手首ストラップ１１０は血圧を外部に出力するディスプレイユニット１７０を基準に左側ストラップと右側ストラップとに区分されることもできる。勿論、前記手首カフ１００は着脱式連結部を有しない一体型ループ、即ち循環構造で連続して繋がることもでき、前記引き締め装置２００により引き締まることもできる。
【００６９】
本実施形態で、前記手首ストラップ１１０は、ストラップフレーム１１１と連結ストラップ１１２を含んで構成される。前記ストラップフレーム１１１は、前記手首の既設定された部位に取り付けられて前記手首の一部、特に尺骨が通る部位を囲むように、所定形状に撓んだ硬質の構成であって、前記手首カフ１００の骨格をなす。
【００７０】
即ち、前記ストラップフレーム１１１は所定強度以上に形態安定性を有し、硬質の材料、例えば、金属やプラスチックで製造できる。そして、前記連結ストラップ１１２は、前記ストラップフレーム１１１に固定されて前記ストラップフレーム１１１により支持される可撓性ストラップであり、前記ストラップフレーム１１１の一端と他端との間の空の区間を連結する。
【００７１】
より具体的に説明すると、前記連結ストラップ１１２は前記ストラップフレーム１１１の一端部から延びて前記ストラップフレーム１１１の他端部に連結され、可撓性、即ち容易に撓むことができる柔軟な材質、例えば、ゴム、シリコン、布、革などで製造できる。
【００７２】
本実施形態で、前記連結ストラップ１１２の一端は前記ストラップフレーム１１１に固定され、前記連結ストラップ１１２の他端は前記ストラップフレーム１１１の他端に着脱可能に連結される。より具体的には、前記連結ストラップ１１２と前記ストラップフレーム１１１の他端は前記引き締め装置２００により間接連結される。
【００７３】
勿論、前記ストラップフレーム１１１の少なくとも一部が前記連結ストラップ１１２の内部に備えられて前記連結ストラップ１１２により被覆されることもできる。
【００７４】
そして、前記エアーバック１２０は前記連結ストラップ１１２に備えられ、前記連結ストラップは前記引き締め装置２００により前記ストラップフレーム１１１の他端に着脱可能に連結される。前記ストラップフレーム１１１は、尺骨動脈Ｂが通る部位を覆うように曲率を有する形状からなる。
【００７５】
したがって、本実施形態によれば、前記ストラップフレーム１１１が前記尺骨動脈Ｂが通る部位を覆うように前記手首カフ１００が手首に着用されれば、前記引き締め装置２００により前記手首カフ１００が引き締まった状態で血圧測定が進行される間に前記尺骨動脈の血流を保証し、トノメトリック方式により血圧測定を遂行することができる。
【００７６】
また、前記ストラップフレーム１１１はベースフレーム１１１ａと補助フレーム１１１ｂを含んで構成されることもできる。前記ベースフレーム１１１ａは、前記連結フレームに固定されて前記連結ストラップ１１２を支持する。
【００７７】
そして、前記補助フレーム１１１ｂは、手首厚さに対応して前記手首カフ１００の高さが調節できるように、前記ベースフレーム１１１ａに移動可能に備えられる高さ調節用フレームである。これによって、前記ストラップフレーム１１１が伸縮可能な構造の骨格を形成する。
【００７８】
前記ベースフレーム１１１ａと補助フレーム１１１ｂは同一な材質で製造されることもでき、異種材質で製造されることもできるが、但し、前記手首カフ１００の骨格をなすことができる所定の剛性を有するように製造される。
【００７９】
図１から図３を参照すると、前記補助フレーム１１１ｂは曲がった形状、例えば、鈍角に撓むか、または尺骨が通る部位の手首の表面に合うように曲率を有する形状であり、前記補助フレーム１１１ｂが前記ベースフレーム１１１ａに移動可能に組み立てられる。
【００８０】
前記補助フレーム１１１ｂが前記ベースフレーム１１１ａにスライディング可能に嵌合されることもできるが、本実施形態では前記ベースフレーム１１１ａが前記補助フレーム１１１ｂに嵌合される。
【００８１】
そして、前記補助フレーム１１１ｂには高さ調節のための複数の組立ホール１１３が前記補助フレーム１１１ｂの長手方向に沿って間隔をおいて形成され、前記ベースフレーム１１１ａには少なくとも１つの組立ピン１１４が備えられ、前記組立ピン１１４は前記ベースフレーム１１１ａに内設されるスプリングなどの弾性部材（図示せず）により前記ベースフレーム１１１ａの外側方向に弾力支持される。
【００８２】
したがって、前記組立ピン１１４は前記組立ホール１１３のうちのいずれか１つに結合され、前記組立ピン１１４の結合位置によって、前記手首カフ１００の高さ、より具体的に前記ストラップフレーム１１１の高さが調節できる。
【００８３】
そして、前記手首カフ１００はユーザ（被検者）、即ち着用者の血圧を表示（出力）するディスプレイユニット（Display Unit）１７０をさらに含むことができ、前記ディスプレイユニット１７０に前述した回路基板１６０が内蔵される。
【００８４】
前記ディスプレイユニット１７０は血圧表示機能を有し、延いては、時計機能を有することもできる。例えば、前記ディスプレイユニット１７０は血圧出力モードと時計モードに切換動作できるか、または血圧と時間が前記ディスプレイユニット１７０に共に表示されることもできる。
【００８５】
本実施形態で、前記ディスプレイユニット１７０は、電子部品を収容するケース１７１と、前記ケース１７０に備えられるディスプレイウィンドウ１７２を含んで構成され、前記ケース１７１は前述した手首ストラップ１１０に搭載される。前記ディスプレイウィンドウ１７２は血圧を表示し、延いては、時間を表示することもできる。
【００８６】
そして、前記回路基板１６０は前記センサー１３０と電気的に連結されて血圧を算出し、延いては前記ディスプレイウィンドウ１７２に血圧値を出力する。
【００８７】
図示してはいないが、前記ケース１７１には前記手首血圧計に電力を供給するバッテリーが内蔵できる。勿論、本実施形態に係る手首血圧計は電源ケーブルを介して外部から電力の供給を受けることもでき、太陽光を基盤に作動されることもできる。
【００８８】
また、前記ディスプレイユニットにはアラーム（Alarm）機能、例えば、血圧チェック時間を知らせるアラーム機能及び／又は血圧チェックが正常に完了したことを知らせるアラーム機能が備えられることもできる。これによって、ユーザは血圧チェックが必要な時期に正確に血圧を測定／記録することができる。本実施形態で、前記ディスプレイユニット１７０は前記ストラップフレーム１１１に搭載される。
【００８９】
前述したように、本実施形態に係る手首血圧計はユーザの操作により定期的または非定期的に血圧測定を遂行することもできるが、前記回路基板１６０、即ち前記手首血圧計の作動を制御する制御モジュールにより定期的または非定期的な時間に自動で血圧測定が遂行されることもできる。
【００９０】
前記手首カフ１００の一側部と他側部は、ベルクロ、フック、ボタン、バックルなどの着脱手段により連結されることができ、本実施形態では前記引き締め装置２００により前記手首カフ１００がループ（Loop）形態に繋がる。勿論、前記手首カフ１００自体が連続して繋がった閉環構造、即ち一体型バンド構造になることもできる。
【００９１】
前記引き締め装置２００は前記手首カフ１００を引き締める構成であって、前記手首カフ１００に備えられる。より具体的に説明すると、前記エアーバック１２０が手首の所定部位、即ち橈骨動脈が通る部位を圧迫するように前記手首カフ１００を引き締める。
【００９２】
言い換えると、前記引き締め装置２００は閉環状態の手首カフ１００、特に前記手首ストラップ１１０を引き締める構成であって、前記手首カフ１００の周りの長さを減少させて前記手首血圧計を窄める装置、即ち前記手首血圧計が被検者の手首に着用された状態で、血圧測定時毎に被検者の手首、特に橈骨動脈Ａが通る部位が一定圧力以上に圧迫されるように、前記手首カフ１００を締める自動引き締め装置である。
【００９３】
前記引き締め装置２００にはリニアモータやラック／ピニオン装置やシリンダ装置や電動リールなど、多様な種類の電動装置が適用できるが、本実施形態で前記引き締め装置２００はカフコネクタ（Cuff Connector）２１０と駆動ユニット２２０を含んで構成される。
【００９４】
前記カフコネクタ２１０は、前記手首カフ１００の一側部を前記手首カフ１００の他側部に連結し、前記カフコネクタ２１０により前記手首カフ１００が閉環を形成するようになる。本実施形態で、前記カフコネクタ２１０は前記手首カフ１００の一側部を前記手首カフ１００の他側部に着脱可能に連結する。
【００９５】
そして、前記駆動ユニット２２０は前記手首カフ１００に備えられて前記手首カフ１００の他側部に牽引力を加える。より具体的に、前記駆動ユニット２２０は前記カフコネクタ２１０を通じて前記手首カフ１００の他側部に牽引力を加えて、前記カフコネクタ２１０は前記駆動ユニット２２０に連結されて前記手首カフ１００の他側部を前記手首カフ１００の一側部側に引き、これによって前記手首カフ１００が引き締める。
【００９６】
本実施形態で、前記カフコネクタ２１０は綱、紐、帯などの可撓性構成であって、前記手首カフ１００の一側部から延長される。このために、前記カフコネクタ２１０の一端部は前記手首カフ１００に固定され、前記カフコネクタ２１０の他端部は前記手首カフ１００の他側部に着脱可能に連結される。
【００９７】
より具体的に説明すると、前記カフコネクタ２１０は前記連結ストラップ１１２の外部に延長されて、前記ストラップフレーム１１１の他端、特に前記補助フレーム１１１ｂに着脱可能に連結される。
【００９８】
そして、前記カフコネクタ２１０には少なくとも１つのストラップ連結ホール２１１が形成され、前記手首カフ、特に前記補助フレーム１１１ｂには前記ストラップ連結ホール２１１に嵌合されるピン（Pin）やフック（Hook）などの固定突起１１５が備えられる。前記カフコネクタ２１０の安定した連結のために、前記固定突起１５５の上端にはヘッドが前記ストラップ連結ホール２１１より大きく拡張形成される。
【００９９】
前記カフコネクタ２１０、即ちストラップ連結部は、前記手首ストラップの一側部、より具体的には前記右側ストラップ１１２に移動可能に備えられ、前記手首ストラップ１１０には前記カフコネクタ２１０の移動路が備えられる。
【０１００】
そして、前記駆動ユニット２２０は前記カフコネクタ２１０に牽引力を発生させる構成、前記手首カフ１００を血圧測定時に一定水準以上に緊張させる構成要素である。
【０１０１】
前記駆動ユニット２２０は、モータ２２１と巻取ロール２２２と動力伝達機２２３を含んで構成される。前記モータ２２１は前記手首カフ１００に固定され、本実施形態では前記ストラップフレーム１１１、特に前記ベースフレーム１１１ａに搭載される。より具体的に、前記モータ２２１は前記ベースフレーム１１１ａに内設され、前記ディスプレイユニットに取り付けられるバッテリーにより作動されるように前記バッテリーに連結できる。
【０１０２】
そして、前記巻取ロール２２２は前記カフコネクタ２１０を巻くように前記手首カフ１００に回転可能に備えられ、前記モータ２２１の動力の伝達を受けて回転する。前記カフコネクタ２１０が前記巻取ロール２２２に巻かれると、前記手首カフ１００が引き締まるようになる。
【０１０３】
前記動力伝達機２２３は前記モータ２２１の動力、即ち回転力を前記巻取ロール２２２に伝達する構成であって、本実施形態ではギア伝動機を含んで構成される。このために、前記動力伝達機２２３、即ちギア伝動機は、前記モータ２２１に軸結合される駆動ギア２２３ａと、前記巻取ロール２２２に軸結合されて前記駆動ギアに従動して回転する被動ギア２２３ｂを含んで構成され、前記駆動ギア２２３ａと被動ギア２２３ｂとの間を連結するカウンターギア２２３ｃがさらに追加されることもできる。勿論、前記動力伝達機２２３の例は前述したギア伝動機に限定されるものではなく、例えば、チェーンベルトやタイミングベルトシステムが適用されることもできる。
【０１０４】
前記駆動ユニット２２０はストラップフレーム１１１、より具体的にベースフレーム１１１ａに備えられ、前記カフコネクタ２１０は前記連結ストラップ１１２に沿って設けられる。本実施形態で、前記カフコネクタ２１０は前記連結ストラップ１１２に引出入可能に内設され、前記エアーバック１２０は前記連結ストラップ１１２に備えられる。
【０１０５】
図示してはいないが、前記手首カフ１００には前記引き締め装置の作動のためのスイッチが備えられる。例えば、前記ディスプレイユニット１７０に前記引き締め装置２００の作動のためのスイッチが備えられ、前記スイッチが押されると、前記引き締め装置が稼働されながら血圧測定が開始される。
【０１０６】
前記モータ２２１には正逆回転可能なモータが適用されることもでき、前記モータ２２１の作動は前述した回路基板１６０の制御モジュールにより制御できる。したがって、血圧測定が完了すれば、前記モータ２２１により前記カフコネクタ２１０が解けながら前記手首カフ１００が緩くなる。前記モータ２２１の駆動及び制御などに関連した技術その自体は一般的な技術であるので、それに対する付加的な説明は省略する。
【０１０７】
勿論、前記カフコネクタ２１０が前記巻取ロール２２２に巻かれる時には前記モータ２２１の動力が使われ、前記カフコネクタ２１０が巻取ロール２２２から解ける時には前記モータ２２１に対する電源供給が遮断されて無負荷に解けることもできる。
【０１０８】
一方、図５を参照すると、本実施形態の手首血圧計は、前述したディスプレイユニットの以外に血圧データ（ユーザの血圧）を所定の端末機、例えば、スマートフォン、その他の端末機や管理モジュールに転送するためのブルートゥースなどの無線通信ユニットをさらに備えることができる。
【０１０９】
前記無線通信ユニットは血圧データの以外に、特定状況、例えば、応急状況で応急救助信号を外部通信機器に転送する役割もできるように構成されることもできる。したがって、被検者（ユーザ）のリアルタイム血圧データがスマートフォンを通じて主治医あるいは専門医などの管理者に転送されることができ、被検者の安定した健康管理に活用できる。
【０１１０】
即ち、高血圧、糖尿病、肝臓障害、動脈硬化、血液循環の末梢神経障害などがある人達の場合にはより注意が要求されるが、本実施形態の血圧計はデータ送出機能があるので、このような患者に当たって特に効率良い血圧の管理がなされることができる。
【０１１１】
そして、前記手首血圧計には、圧力センサーの信号に基づいて被検者の血圧を算出する血圧算出ユニットと、血圧データを格納するデータ格納ユニットと、ユーザの測定履歴を管理し、ユーザＩＤを管理するユーザ登録ユニットと、データを収集及び分析してユーザの状態が危急な場合には指定された応急救助信号が転送できるように制御する制御ユニットなどが具備できる。
【０１１２】
本発明は前述した実施形態に限定されず、前述した実施形態は制限的なものでなく、例示的なものとして見なされなければならず、後述する他の実施形態のように変更されることもできる。
【０１１３】
実施形態２．
以下、本発明に係る手首血圧計の他の実施形態（第２実施形態）が説明され、本発明の第２実施形態を説明するに当たって、第１実施形態と同一構成に対しては同一図面符号が使われる。
【０１１４】
図６から図９を参照すると、本実施形態に係る手首血圧計は手首に着用可能であり、第１実施形態のように収縮による引き締め方式により手首を圧迫する血圧計であって、手首にループ形態に着用可能な手首カフ（Wrist Cuff）１００Ａと、血圧の感知のためのセンサー（Sensor）１３０、及び引き締め装置（Cuff Tightener）３００を含んで構成される。
【０１１５】
本実施形態に係る手首血圧計やはり、前述した実施形態（第１実施形態）のように手首を囲んで血圧を測定する血圧測定カフであり、ユーザが活動中に腕時計のように携帯可能なタイプで提供されることもでき、挙動が不便な病床の患者の手首に着用されて既設定された時期、その他の状況で血圧を随時監視することができ、また有線または無線で他の機器と連結されることもできる。
【０１１６】
前記手首カフ１００Ａは手首着用のための手首ストラップ１１０Ａを含み、本実施形態で、前記手首ストラップ１１０Ａは手首に巻くバンド（Band）またはベルト（Belt）タイプの構成である。そして、前記手首カフは手首圧迫のために前記手首ストラップ１１０Ａに備えられる空気ポケット、即ちエアーバック１２０をさらに含んで構成される。
【０１１７】
前記エアーバック１２０は手首で脈圧測定のために手首を圧迫する構成であって、空気の注入と排出が可能なタイプ、例えば、空気注入口と空気排出口を有するエアーチャンバで構成されることもできるが、本実施形態で、前記エアーバック１２０は空気の注入が防止される構造、即ち密閉型であって、内部に空気が常時封入されている。
【０１１８】
本実施形態で、前記エアーバック１２０は手首の表面を局部的に圧迫し、例えば、橈骨動脈が通る部位を圧迫する。そして、前記センサー１３０は前記エアーバック１２０の圧力を感知する装置であって、例えば、圧力センサーが適用できる。前記センサー１３０には、空気圧測定可能な各種のセンサーが適用されることができ、前記センサー１３０は前記エアーバック１２０に備えられ、前記手首ストラップ１１０に設けられるケーブル１３１、即ち電線を通じて制御部、即ち血圧計算部の機能を遂行する回路基板１６０と連結される。
【０１１９】
前記手首ストラップ１１０Ａは革、布、シリコンなど、可撓性の多様な材質で製造されることができ、前記エアーバック１２０はシリコン、ウレタン、あるいはゴムなどの弾性を有する材質で作られることができる。
【０１２０】
そして、本実施形態で前記手首ストラップ１１０Ａは、前記手首ストラップ１１０Ａの一端部と他端部が着脱可能に連結されることによって閉環を形成し、前記手首ストラップ１１０Ａにはディスプレイユニット１７０が備えられる。本実施形態で、前記手首ストラップ１１０Ａは、前記ディスプレイユニット１７０を基準に左側ストラップ１１０Ｂと右側ストラップ１１０Ｃとに区分されることもできる。
【０１２１】
前記手首カフ１００の一端部と他端部、特に前記手首ストラップ１１０Ａの一側部と他側部を連結する構成の例には、ベルクロ、フック、ボタン、バックルなどのストラップ連結部を挙げることができ、本実施形態では前記引き締め装置３００が前記手首ストラップを連結する。勿論、前記手首カフが別途の着脱式連結装置を使用しない閉環構造になることもできる。例えば、前記手首ストラップが着脱式連結装置を有しないで連続して繋がった一体型バンド構造になることもできる。
【０１２２】
前記ディスプレイユニット１７０は血圧表示機能を有し、延いては時計機能を有することもできる。例えば、前記ディスプレイユニット１７０は血圧出力モードと時計モードに切換動作できるか、または血圧と時間が前記ディスプレイユニット１７０に共に表示されることもできる。
【０１２３】
本実施形態で、前記ディスプレイユニット１７０は電子部品を収容するケース１７１とディスプレイウィンドウ１７２を含んで構成され、前記ディスプレイウィンドウ１７２は血圧を表示する血圧表示部１７２ａと時間を出力する時間表示部１７２ｂを含んで構成される。
【０１２４】
そして、前記ケース１７１には、前記センサー１３０と電気的に連結されて血圧を算出し、延いては血圧表示ウィンドウに血圧値を出力する回路基板１６０が内蔵できる。本実施形態で、前記回路基板１６０は前述したように、制御部、即ち血圧演算部となる。
【０１２５】
図示してはいないが、前記ケース１７１には前記手首血圧計に電力を供給するバッテリーが内蔵されることができ、前記回路基板１６０は本実施形態で提示される引き締め装置３００の作動を制御することもできる。勿論、本実施形態に係る手首血圧計は電源ケーブルを介して外部から電力の供給を受けることもでき、太陽光を基盤に作動されることもできる。
【０１２６】
また、前記ディスプレイユニットにはアラーム（Ａlarm）機能、例えば、血圧チェック時間を知らせるアラーム機能及び／又は血圧チェックが正常に完了したことを知らせるアラーム機能が具備されることもできる。これによって、ユーザは血圧チェックが必要な時期に正確に血圧を測定／記録することができる。
【０１２７】
前述したように、本実施形態に係る手首血圧計はユーザの操作により定期的または非定期的に血圧測定を遂行することもできるが、前記回路基板１６０、即ち制御部により定期的または非定期的な時間に自動で血圧測定が遂行されることもできる。
【０１２８】
一方、前記引き締め装置３００は閉環状態の手首血圧計、特に前記手首カフ１００Ａを引き締める構成であって、前記手首カフ１００Ａの周り長さを減少させて前記手首血圧計を窄める装置、即ち収縮させる装置である。
【０１２９】
即ち、前記引き締め装置３００は前述した第１実施形態のように前記手首カフ１００Ａを選択的に引き締める締込機であって、前記手首血圧計が被検者の手首に着用された状態で、血圧測定時毎に被検者の手首、特に橈骨動脈が通る部位が前記エアーバック１２０により圧力以上に圧迫されるように、前記手首カフ１００Ａを締め括る自動引き締め装置である。
【０１３０】
前記引き締め装置３００には、リニアモータ、ラック／ピニオン装置、シリンダ装置、電動リールなど、多様な種類の電動装置が適用できるが、本実施形態で、前記引き締め装置３００はカフコネクタ（Cuff Connector）３１０と牽引器３２０を含んで構成される。
【０１３１】
前記カフコネクタ３１０は、前記手首カフ１００Ａの一側部１０１を前記手首カフの他側部１０２に着脱可能に連結し、前記カフコネクタ３１０により前記手首カフ１００Ａ、より具体的に前記手首ストラップ１１０Ａが閉環を形成するようになる。
【０１３２】
本実施形態で、前記カフコネクタ３１０は前記手首カフの他側部１０２に形成される少なくとも１つのストラップ連結ホール１０２ａに嵌合されるピン構造であって、前記カフコネクタ３１０の上側にはストラップ連結ホール１０２ａに嵌合される締結突起３１０ａが備えられ、前記締結突起３１０ａの上端にはストラップの分離防止のための拘束ヘッドが前記ストラップ連結ホール１０２ａより大きく拡張形成される。
【０１３３】
前記カフコネクタ３１０、即ちストラップ連結部は、前記手首カフ１００Ａ、より具体的には前記左側ストラップ１１０Ｂに移動可能に備えられ、前記手首カフ１００Ａには前記カフコネクタ３１０の移動路が備えられる。
【０１３４】
そして、前記牽引器３２０は前記カフコネクタ３１０を選択的に引く機能を有する構成、即ち平常時に手首に緩く着用されている手首カフ１００Ａを血圧測定時に一定水準以上に緊張させる構成要素である。前記引き締め装置３００は、手首血圧計の周り長さを縮める機能と共に、伸ばす機能を追加的に遂行することもでき、縮める機能のみ遂行することもできる。例えば、前記牽引機が前記カフコネクタを引いて、押す機能を共に遂行することもでき、引く機能のみ遂行することもできる。
【０１３５】
より具体的に説明すると、前記牽引器３２０は、前記手首カフ１００Ａ、例えば、前記左側ストラップ１１０Ｂに備えられて前記カフコネクタ３１０を一方向に移動させることによって、前記手首血圧計、特に前記手首カフ１００が形成するループの周り長さを減少させる。
【０１３６】
したがって、図８に図示された形態に被検者の手首に多少緩く手首血圧計が着用された状態で前記引き締め装置３００が作動すれば、前記手首カフ１００Ａが窄められて、図９のように周り長さが減少し、これによって手首が前記手首カフにより引き締められ、手首の所定部位、即ち橈骨動脈Ａが通る部位は前記エアーバック１２０により加圧される。図６、図８、及び図９には、エアーバック１２０が形成された部分とその他の部分が同一厚さで図示されているが、前記エアーバック１２０が形成された部分が他の部分より厚く膨らんでいる形状が適用できる。
【０１３７】
そして、前記引き締め装置３００が逆方向に作動すれば、図９で図８の状態に前記手首血圧計の周り長さがまた増加しながら手首圧迫力が減少できる。
【０１３８】
前記カフコネクタ３１０は、前記牽引器３２０により一方向と反対方向に往復動することによって、前記手首血圧計の周り長さを増減（手首血圧計の拡張／縮小）させることもできるが、前記カフコネクタ３１０と前記牽引器３２０は断続可能に連結されることもできる。
【０１３９】
例えば、前記カフコネクタ３１０が前記牽引器３２０により一方向に牽引される時のみに前記牽引器３２０に連結されることもでき、特定状況、例えば、バッテリー枯渇など、前記引き締め装置３００に対する電源供給が遮断された状況で前記カフコネクタ３１０と前記牽引器３２０の連結が途絶えることができ、前記カフコネクタ３１０と前記牽引器３２０の連結が途絶えた状態では手首血圧計の拡張／縮小が手作業でも可能であり、前記手首血圧計が手首に着用されている場合には手首の拡張力により前記手首ストラップが自然的に緩くなることができる。
【０１４０】
図１０から図１４を参照すると、前記牽引器３２０は、前記カフコネクタに連結される牽引ロッド（Rod）３２１と、前記牽引ロッド３２１を作動させて前記カフコネクタ３１０を移動させるモータ（Motor）などのアクチュエータ（Actuator）３２２を含んで構成できる。
【０１４１】
本実施形態で、前記牽引ロッド３２１は前記アクチュエータ３２２によりその場で回転する棒形状であって、前記牽引ロッド３２１が回転すれば、前記カフコネクタ３１０が前記手首ストラップ１１０に形成された移動路、即ちスロット形状のコネクタ移動路に沿って牽引される。
【０１４２】
より具体的に説明すると、本実施形態での牽引ロッド３２１は前記カフコネクタ３１０に回転可能に挿入されるスクリューバー（Screw Bar）であって、前記アクチュエータ３２２によりその場で回転し、外周面に形成されたねじ山３２１ａを有する。
【０１４３】
そして、前記牽引ロッド３２１が前記アクチュエータ３２２により回転すれば、前記カフコネクタ３１０は前記牽引ロッド３２１の軸線（長手方向）に沿って動く。即ち、前記牽引ロッド３２１の回転運動が前記カフコネクタ３１０の線形運動に変換される。
【０１４４】
図１２には前記牽引ロッド３２１が両方向回転が全て可能な形態、即ち前記牽引器３２０により手首カフの引き締めと引き締め解除（緩和）、即ち手首血圧計の拡張及び縮小が全て遂行される形態が図示されている。しかしながら、前記牽引ロッド３２１がカフコネクタ３１０を牽引する方向のみに回転するように一方向回転式モータが前記アクチュエータに適用されることができ、手首カフの引き締め解除は牽引器３２０、特に牽引ロッド３２１とカフコネクタ３１０の連結が途絶えた後に別途の動力源（電源）を使用しないで手作業や手首血圧計が着用されている手首の拡張力により自然的に進行されることもできる。
【０１４５】
本実施形態で、前記カフコネクタ３１０と前記牽引ロッド３２１の連結は断続可能であり、前記カフコネクタ３１０と前記牽引ロッド３２１が連結された状態、即ち噛み合った状態の時には前記牽引機の作動により前記カフコネクタ３１０が一方向または両方向に動くことができ、前記前記カフコネクタ３１０と前記牽引ロッド３２１の連結が解除された状態、即ち噛み合いが解除された状態の時には、前記牽引器３２０から前記カフコネクタ３１０に運動エネルギーが伝達されないので、前記カフコネクタ３１０が前記牽引器３２０の影響を受けないようになるので、移動が自由になる。
【０１４６】
前述したように、前記カフコネクタ３１０と前記牽引ロッド３２１の連結が断続可能であるように、前記カフコネクタ３１０は前記牽引ロッド３２１に選択的に噛合（噛み合い）され、前記カフコネクタ３１０が前記牽引ロッド３２１に噛合された状態、即ち連結された状態の時、前記牽引器３２０による移動が可能になる。
【０１４７】
本実施形態で、前記カフコネクタ３１０は、前記牽引ロッド３２１が挿入されるコネクタ胴体３１１と、前記牽引ロッド３２１と前記コネクタ胴体３１１の連結を断続するロッド断続部材３１２を含んで構成される。
【０１４８】
前記コネクタ胴体３１１は、前記手首カフの一側部１０１に手首カフ１００Ａの長手方向に沿って移動可能に備えられ、前記手首カフの一側部、即ち左側ストラップ１１０Ｂを前記手首カフの他側部１０２、即ち右側ストラップ１１０Ｃに連結する。
【０１４９】
前記コネクタ胴体３１１には、前記牽引ロッド３２１が挿入されるロッドホール３１１ｄが前後方向に貫通形成され、前記ロッド断続部材３１２が前記牽引ロッド３２１に噛み合った状態、即ち噛合された状態で前記アクチュエータ３２２が駆動されれば、前記コネクタ胴体３１１が前記牽引ロッド３２１に沿って動く。
【０１５０】
そして、前記ロッド断続部材３１２はクラッチ（Clutch）の機能をする構成であって、前記カフコネクタ３１０と前記牽引ロッド３２１の断続のために前記コネクタ胴体３１１に移動可能に備えられ、前記牽引ロッドのねじ山３２１ａに選択的に噛合される。本実施形態で、前記牽引器３２０、特に牽引ロッドと前記カフコネクタ３１０との間の連結は前記カフコネクタ３１０に対する電源供給によりなされる。
【０１５１】
本実施形態でのコネクタ胴体３１１は電磁石であって、前記コネクタ胴体３１１が磁化されれば、前記カフコネクタ３１０と牽引器３２０が連結され、磁化が解除されればカフコネクタ３１０と牽引器３２０との連結が途絶える。
【０１５２】
図１２から図１４を参照してより具体的に説明すると、前記ロッド断続部材３１２は電流の流れにより前記コネクタ胴体に誘導される磁場により動く。言い換えると、前記コネクタ胴体３１１に電流が流れれば前記コネクタ胴体３１１が磁化され、前記ロッド断続部材３１２が前記コネクタ胴体３１１の磁力により動いて、前記牽引ロッド３２１のねじ山３２１ａ、より具体的にはねじ山の間のねじ谷３２１ｂに噛み合う。
【０１５３】
前記コネクタ胴体３１１はソレノイド（Solenoid）であって、前記ロッドホール３１１ｄが形成されたフレーム３１１ａと前記フレーム３１１ａに巻き取られるコイル３１１ｂ、３１１ｃを含んで構成され、前記フレーム３１１ａは導体として前記コイル３１１ｂ、３１１ｃに電流が流れれば、前記フレーム３１１ａの一側（例えば、左側）がＮ極となり、反対側（例えば、右側）がＳ極となる。ソレノイドによる電磁石原理その自体は公知のものであるので、付加的な説明は省略する。
【０１５４】
前記コイル３１１ｂ、３１１ｃは前記フレーム３１１ａの左側部と右側部に巻き取られ、前記フレーム３１１ａの左側部と右側部にはコイル巻取溝が形成される。本実施形態で、前記コイルは前記フレーム３１１ａの左側部と右側部に巻き取られた左側コイル３１１ｂと右側コイル３１１ｃを含み、前述したように前記フレーム３１１ａの両端のうち、いずれか一側がＮ極となり、反対側がＳ極となるように前記フレーム３１１ａに巻き取られる。
【０１５５】
前記ロッド断続部材３１２は、前記牽引ロッド３２１のねじ山に選択的に噛み合う断続ピン３１２ａと、前記断続ピン３１２ａの一端に備えられるベース部材３１２ｂを含んで構成される。そして、前記フレーム３１１ａには前記ロッド断続部材３１２が移動可能に挿入されるロッド断続ホール（前記断続ピンが挿入される部分）が形成される。
【０１５６】
前記断続ピン３１２ａは前記ロッド断続ホールに移動可能に挿入される非磁性体であって、前記断続ピン３１２ａの先端が前記牽引ロッド３２１のねじ山に選択的に噛合される。そして、前記ベース部材３１２ｂは磁石にくっつく導体、即ち磁性体であって、前記コネクタ胴体３１１が磁化されれば磁力により動いて、これによって前記断続ピン３１２ａも前記ベース部材３１２ｂと共に移動して前記牽引ロッド３２１に噛み合う。
【０１５７】
前記ロッド断続ホールは前記フレーム３１１ａを左右方向に貫通して形成される。前記ロッド断続ホールと前記ロッドホール３１１ｄは十字型（「＋」字型）に交差して相互連通される。前記ロッド断続ホールは、前記ロッドホール３１１ｄの左側に形成される第１断続ホールと前記ロッドホール３１１ｄの右側に形成される第２断続ホールとに区分できる。本実施形態では前記第１断続ホールと前記第２断続ホールに各々前記ロッド断続部材３１２が設けられる。
【０１５８】
そして、前記ロッド断続部材３１２は、前記電磁石、より具体的に前記コイル３１１ｂ、３１１ｃに対する電源供給が解除されれば、前記牽引ロッド３２１から分離され、これによって前記コネクタ胴体３１１と前記牽引ロッド３２１の連結、即ち噛み合いが解除される。本実施形態で、前記ロッド断続部材３１２は、スプリング３１３の復原力により前記牽引ロッド３２１から分離される。
【０１５９】
前記スプリング３１３は、前記ロッド断続ホールの入口側に備えられて前記ベース部材３１２ｂを前記フレーム３１１ａの外側方向に弾性支持する。より具体的に説明すると、前記第１断続ホールの入口側（フレームの左側部）と第２断続ホールの入口側（フレームの右側部）に各々前記スプリング３１３が備えられて、前記フレーム３１１ａの左側と右側に各々設けられるベース部材３１２ｂをフレームの左側方向と右側方向に弾性支持する。
【０１６０】
そして、前記コイル３１１ｂ、３１１ｃに電源が印加されれば、前記コネクタ胴体３１１と前記ベース部材３１２ｂとの間の引力が前記スプリング３１３を凌駕して前記ベース部材３１２ｂを移動させ、前記断続ピン３１２ａが前記ベース部材３１２ｂにより前記フレーム３１１ａの内部に進入することによって、前記牽引ロッド３２１と前記断続ピン３１２ａが連結される。
【０１６１】
逆に、前記コイル３１１ｂ、３１１ｃに対する電源供給が遮断されれば、前記スプリング３１３により前記ベース部材３１２ｂが押されて前記断続ピン３１２ａが前記牽引ロッド３２１から分離される。
【０１６２】
これによって、前記カフコネクタ３１０の動きを拘束する力及び牽引力が除去され、前記手首カフ１００Ａが別途の動力源を使用しなくても皮膚及び皮下組織の弾力（膨張力）により自然的に緩く解けることができる。
【０１６３】
勿論、前記手首カフ１００Ａの引き締め解除または引き締め緩和が前述したように前記牽引器３２０の逆動作（牽引ロッドの逆方向回転）により具現されることもできる。しかしながら、前記牽引ロッド３２１と前記コネクタ胴体３１１が常時連結されている場合、手首カフ１００Ａが手首を圧迫している状態でバッテリーの寿命が尽きるなど、非正常状態に達すれば、前記手首カフ１００Ａの引き締め、即ち手首圧迫が続けて維持されることがあるので、血流障害などの問題になることができる。一方、本実施形態は電源供給がなければカフコネクタ３１０に対する拘束が解除されるので、前述した問題が防止できる。
【０１６４】
本実施形態において、前記コネクタ胴体３１１とロッド断続部材３１２は、コネクタケース３１０ｂに内部に収容され、前記フレーム３１１ａの上側には前述した締結突起３１０ａが突出形成される。
【０１６５】
図１５は前記カフコネクタ３１０と前記牽引ロッド３２１の断続を示すものであって、図１５の（ａ）のようにロッド断続部材の断続ピン３１２ａと牽引ロッド３２１が分離された状態では、前記アクチュエータ３２２の駆動力が前記カフコネクタ３１０に伝達できないので前記カフコネクタ３１０の移動が両方向共に自由である。
【０１６６】
逆に、図１５の（ｂ）のように、ロッド断続部材の断続ピン３１２ａと牽引ロッド３２１が連結された状態では、前記アクチュエータ３２２の駆動力が前記カフコネクタ３１０に伝達されることができ、前記アクチュエータ３２２が停止した状態では前記カフコネクタ３１０が前記牽引ロッド３２１により拘束されて移動が制限される。そして、前記コイルへの電源供給が解除されれば前記スプリング３１３により断続ピン３１２ａと牽引ロッド３２１が図１５の（ａ）のように分離されるので、手首カフが自然的に緩くなることができる。
【０１６７】
前述した手首血圧計を用いた血圧測定は、被検者の手首が前記手首血圧計により圧迫される過程に遂行されるか、または前記手首血圧計が緩くなりながら圧迫力を解除する過程に遂行されるなど、いろいろな方式により遂行できる。
【０１６８】
一方、前述した実施形態（第２実施形態）に係る手首血圧計やはり、図５に図示した手首血圧計のように血圧データ（ユーザの血圧）を所定の端末機、例えば、スマートフォン、その他の端末機や管理モジュールに無線転送するように無線通信ユニットを含むことができる。
【０１６９】
以上、本発明に係る実施形態を説明したが、前述した実施形態の以外にも本発明がその趣旨や範疇から逸脱することなく他の特定形態に具体化できるという事実は該当技術に通常の知識を有する者には自明なものである。
【０１７０】
したがって、前述した実施形態は制約的なものでなく、例示的なものとして見なされなければならず、これによって本発明は前述した説明に限定されず、添付の請求項の範疇及びその同等範囲内で変更されることもできる。
【産業上の利用可能性】
【０１７１】
本発明は手首に着用して携帯可能な手首血圧計に関するものであって、医療機器または健康補助機器関連分野に利用可能である。本発明によれば、ユーザが血圧測定が必要となる度に、便利に血圧を測定することができ、手首密着性が優れるので血圧測定の正確度が高まることができる。
【図１】
2018536448.tif 000003
【図２】
2018536448.tif 000004
【図３】
2018536448.tif 000005
【図４】
2018536448.tif 000006
【図５】
2018536448.tif 000007
【図６】
2018536448.tif 000008
【図７】
2018536448.tif 000009
【図８】
2018536448.tif 000010
【図９】
2018536448.tif 000011
【図１０】
2018536448.tif 000012
【図１１】
2018536448.tif 000013
【図１２】
2018536448.tif 000014
【図１３】
2018536448.tif 000015
【図１４】
2018536448.tif 000016
【図１５】
2018536448.tif 000017
【国際調査報告】
2018536448.tif 000018
2018536448.tif 000019
2018536448.tif 000020
2018536448.tif 000021